(57)【要約】【課題】過度の負荷なく顔部及び後頭部を着脱可能な人形頭部を提供すること。【解決手段】顔部３と後頭部４が着脱可能に接合する人形頭部１であって、前記顔部３及び後頭部４のいずれか一方の内部に形成された嵌合凸部７と、その他方の内部に形成された嵌合凹部６と、前記顔部３及び後頭部４のいずれか一方の内部に形成され、一端が開口したスリット５と、を有し、前記嵌合凸部７及び嵌合凹部６のいずれか一方は、前記スリット５を挟んだ両側に分割して形成され、前記嵌合凸部７と嵌合凹部６が嵌合することによって、前記顔部３と後頭部４が着脱可能に接合することを特徴とする、人形頭部１を提供する。【選択図】図１０
2010183946.tif 000002
【特許請求の範囲】
【請求項１】
顔部と後頭部が着脱可能に接合する人形頭部であって、
前記顔部及び後頭部のいずれか一方の内部に形成された嵌合凸部と、
その他方の内部に形成された嵌合凹部と、
前記顔部及び後頭部のいずれか一方の内部に形成され、一端が開口したスリットと、を有し、
前記嵌合凸部及び嵌合凹部のいずれか一方は、前記スリットを挟んだ両側に分割して形成され、
前記嵌合凸部と嵌合凹部が嵌合することによって、前記顔部と後頭部が着脱可能に接合することを特徴とする、人形頭部。
【請求項２】
前記嵌合凸部が前記後頭部の内部に形成され、
前記スリットが前記顔部の内部に形成され、
前記嵌合凹部が、前記スリットの内部に形成されることを特徴とする、請求項１に記載の人形頭部。
【請求項３】
顔部と後頭部が着脱可能に接合する人形頭部であって、
嵌合凸部と、
前記顔部及び後頭部のそれぞれの内部に形成され、一端が開口したスリットと、
前記スリットの内側に形成された嵌合凹部と、を有し、
前記嵌合凸部と、前記顔部及び後頭部のそれぞれの嵌合凹部とが嵌合することによって、前記顔部と後頭部が着脱可能に接合することを特徴とする、人形頭部。
【請求項４】
顔部と後頭部が着脱可能に接合する人形頭部であって、
前記顔部及び後頭部の内部にそれぞれ形成された嵌合凸部と、
一端が開口したスリットの内側に形成された嵌合凹部と、を有し、
前記顔部及び後頭部のそれぞれの嵌合凸部と、前記嵌合凹部とが嵌合することによって、前記顔部と後頭部が着脱可能に接合することを特徴とする、人形頭部。
【請求項５】
前記顔部及び／又は後頭部がその内部に内部部材を有することを特徴とする、請求項１〜４のいずれか１項に記載の人形頭部。
【請求項６】
前記顔部がその内部に、
義眼と、
前記義眼が載置される義眼載置部と、
垂直方向に延びる垂直部と、当該垂直部の上端の両側から水平方向に延びる水平部を有し、顔部正面から見てＴ字状に形成され、前記義眼を上から押さえる義眼押さえ部材と、
前記垂直部を固定する固定部と、を有し、
前記義眼載置部に載置された義眼が、前記義眼押さえ部材の水平部により上から押さえられることを特徴とする、請求項１〜５のいずれか１項に記載の人形頭部。
【請求項７】
前記後頭部の外縁が、人の毛髪の生え際の線を模して形成される、請求項１〜６のいずれか１項に記載の人形頭部。
【請求項８】
顔部と後頭部が着脱可能に接合する人形頭部と、人形胴体とを有する人形であって、
前記人形頭部は、
前記顔部及び後頭部のいずれか一方の内部に形成された嵌合凸部と、その他方の内部に形成された嵌合凹部と、前記顔部及び後頭部のいずれか一方の内部に形成され、一端が開口したスリットと、を有し、前記嵌合凸部及び嵌合凹部のいずれか一方は、前記スリットを挟んだ両側に分割して形成され、前記嵌合凸部と嵌合凹部が嵌合することによって、前記顔部と後頭部が着脱可能に接合し、
前記人形頭部及び人形胴体のいずれか一方に、膨出部が形成され、その他方に、前記膨出部を回転自在に受ける受部が形成されることを特徴とする、人形。
【請求項９】
顔部と後頭部が着脱可能に接合する人形頭部と、人形胴体とを有する人形であって、
前記人形頭部は、
嵌合凸部と、前記顔部及び後頭部のそれぞれの内部に形成され、一端が開口したスリットと、前記スリットの内側に形成された嵌合凹部と、を有し、前記嵌合凸部と、前記顔部及び後頭部のそれぞれの嵌合凹部とが嵌合することによって、前記顔部と後頭部が着脱可能に接合し、
前記人形頭部及び人形胴体のいずれか一方に、膨出部が形成され、その他方に、前記膨出部を回転自在に受ける受部が形成されることを特徴とする、人形。
【請求項１０】
顔部と後頭部が着脱可能に接合する人形頭部と、人形胴体とを有する人形であって、
前記人形頭部は、
前記顔部及び後頭部の内部にそれぞれ形成された嵌合凸部と、一端が開口したスリットの内側に形成された嵌合凹部と、を有し、前記顔部及び後頭部のそれぞれの嵌合凸部と、前記嵌合凹部とが嵌合することによって、前記顔部と後頭部が着脱可能に接合し、
前記人形頭部及び人形胴体のいずれか一方に、膨出部が形成され、その他方に、前記膨出部を回転自在に受ける受部が形成されることを特徴とする、人形。
【請求項１１】
前記受部の少なくとも一部が、前記膨出部の赤道面を超えるよう形成されることを特徴とする、請求項８〜１０のいずれか１項に記載の人形。
【請求項１２】
前記顔部又は後頭部と、前記人形胴体とを連結する連結部材を有する、請求項８〜１１のいずれか１項に記載の人形。
【発明の詳細な説明】
【技術分野】
【０００１】
本発明は、顔部と後頭部が着脱可能に接合する人形頭部に関する。より詳細には、本発明は、顔部と後頭部を、それぞれ個別に、過度の負荷なく容易に着脱可能な人形頭部に関する。さらに本発明は、該人形頭部を有する人形に関する。
【背景技術】
【０００２】
人形の特定の部位を着脱可能とし、該部位を複数用意して交換することによって、人形自体をカスタマイズして楽しむことができる人形が存在する。特に、人形の髪型や表情を担う頭部は、その印象を大きく変えるため、カスタマイズの需要が高い部位である。
【０００３】
このような需要に対し、例えば、特許文献１は、人形頭の改造を容易に行うことができる人形玩具として、人体の顔面に当たる部分を含む顔部と頭髪が植毛される頭髪部とに二分割されていると共に、該顔部の上端部と該頭髪部の下端部とが互いに嵌合する形状に形成されており、前記頭髪部の下端部と前記顔部の上端部との嵌合面並びにその近傍に常温可塑性を有する合成樹脂系粘着材が充填されて該頭髪部が該顔部に対して着脱可能に粘着されている人形頭を開示する。また、特許文献２は、後半頭部前面へ、顔面を異にする複数の前半頭部の一つを、磁石（磁性体）によって着脱自在に吸着させた顔面可変玩具を開示する。
【先行技術文献】
【特許文献】
【０００４】
【特許文献１】特開２００３−４７７８４
【特許文献２】特開２００５−１１０８８９
【発明の概要】
【発明が解決しようとする課題】
【０００５】
しかしながら、従来の顔部と後頭部が着脱可能に接合する人形頭部では、顔部（前半頭部）と後頭部（頭髪部、後半頭部）との接合を安定させ、顔部と後頭部の着脱の繰り返しに耐え得る耐久性を提供するために、粘着材や磁石（磁性体）のような特別な材料が必要であった。また、人形の顔や髪型は、汚れや傷等に非常に敏感で繊細な部位であるため、着脱の際に顔部や後頭部に触れる回数が多いことや、顔部や後頭部に過度の負荷がかかることは不都合であった。さらに、従来の顔部と後頭部が着脱可能に接合する人形頭部と人形胴体を有する人形においては、該人形頭部を人形胴体に対して三次元方向に自由に安定して可動させることも困難であった。
【課題を解決するための手段】
【０００６】
以上の課題を解決すべく鋭意検討を重ねた結果、本発明者は、粘着材や磁石のような特別な材料を用いることなく、過度の負荷なく顔部及び後頭部を繰り返し着脱可能な人形頭部を発明するに至った。さらに、そのような人形頭部と人形胴体を有する人形であって該人形頭部が人形胴体に対して三次元方向に自由に安定して可動する人形を発明するに至った。
【０００７】
すなわち、本発明の一態様によれば、顔部と後頭部が着脱可能に接合する人形頭部であって、前記顔部及び後頭部のいずれか一方の内部に形成された嵌合凸部と、その他方の内部に形成された嵌合凹部と、前記顔部及び後頭部のいずれか一方の内部に形成され、一端が開口したスリットと、を有し、前記嵌合凸部及び嵌合凹部のいずれか一方は、前記スリットを挟んだ両側に分割して形成され、前記嵌合凸部と嵌合凹部が嵌合することによって、前記顔部と後頭部が着脱可能に接合することを特徴とする、人形頭部が提供される。該人形頭部においては、接着材等の特別な材料や、ネジ止め等の特別な加工を施すことなく、一端が開口したスリットにより与えられる可撓性によって、過度の負荷なく顔部及び後頭部が繰り返し着脱可能となる。
【０００８】
また、本発明の一態様によれば、前記嵌合凸部が前記後頭部の内部に形成され、前記スリットが前記顔部の内部に形成され、前記嵌合凹部が、前記スリットの内部に形成されることを特徴とする、前記の人形頭部が提供される。該人形頭部においては、前記嵌合凹部が前記スリットの内部に形成されるため、これらの嵌合凹部及びスリットの成形が容易である。
【０００９】
本発明の一態様によれば、顔部と後頭部が着脱可能に接合する人形頭部であって、嵌合凸部と、前記顔部及び後頭部のそれぞれの内部に形成され、一端が開口したスリットと、前記スリットの内側に形成された嵌合凹部と、を有し、前記嵌合凸部と、前記顔部及び後頭部のそれぞれの嵌合凹部とが嵌合することによって、前記顔部と後頭部が着脱可能に接合することを特徴とする、人形頭部が提供される。該人形頭部においては、一端が開口したスリットにより与えられる可撓性によって、過度の負荷なく顔部及び後頭部が繰り返し着脱可能となり、また、嵌合凸部が破損した場合、嵌合凸部のみを独立して交換することが可能である。
【００１０】
本発明の一態様によれば、顔部と後頭部が着脱可能に接合する人形頭部であって、前記顔部及び後頭部の内部にそれぞれ形成された嵌合凸部と、一端が開口したスリットの内側に形成された嵌合凹部と、を有し、前記顔部及び後頭部のそれぞれの嵌合凸部と、前記嵌合凹部とが嵌合することによって、前記顔部と後頭部が着脱可能に接合することを特徴とする、人形頭部が提供される。該人形頭部においては、一端が開口したスリットにより与えられる可撓性によって、過度の負荷なく顔部及び後頭部が繰り返し着脱可能となり、また、嵌合凹部が破損した場合、嵌合凹部のみを独立して交換することが可能である。
【００１１】
また、本発明の一態様によれば、前記顔部及び／又は後頭部がその内部に内部部材を有することを特徴とする、前記の人形頭部が提供される。該人形頭部においては、顔部と後頭部が着脱可能に接合しているため、その内部に内部部材（例えば、義眼、義歯等）を設けることが容易であり、また、これらを着脱可能とすること、位置の微調整を行うこと等が可能となる。
【００１２】
また、本発明の一態様によれば、前記顔部がその内部に、義眼と、前記義眼が載置される義眼載置部と、垂直方向に延びる垂直部と、当該垂直部の上端の両側から水平方向に延びる水平部を有し、顔部正面から見てＴ字状に形成され、前記義眼を上から押さえる義眼押さえ部材と、前記垂直部を固定する固定部と、を有し、前記義眼載置部に載置された義眼が、前記義眼押さえ部材の水平部により上から押さえられることを特徴とする、前記の人形頭部が提供される。該人形頭部においては、人形頭部の内部のような狭い空間においても、左右の義眼それぞれを視線調整可能に固定することができる。
【００１３】
また、本発明の一態様によれば、前記後頭部の外縁が、人の毛髪の生え際の線を模して形成される、前記の人形頭部が提供される。該人形頭部においては、後頭部の外縁が、人の毛髪の生え際の線を模して形成されるため、従来美観上の問題の回避が困難であった、襟足の露出する髪型を有する人形頭部を提供することができる。また、顔部と後頭部との接合がより強固になり、さらには、顔部と後頭部の接合面が広いため、前記顔部の内部に内部構造を設ける場合や、この内部構造を着脱可能とし、調整する場合にも作業が行いやすい。
【００１４】
本発明の一態様によれば、顔部と後頭部が着脱可能に接合する人形頭部と、人形胴体とを有する人形であって、前記人形頭部は、前記顔部及び後頭部のいずれか一方の内部に形成された嵌合凸部と、その他方の内部に形成された嵌合凹部と、前記顔部及び後頭部のいずれか一方の内部に形成され、一端が開口したスリットと、を有し、前記嵌合凸部及び嵌合凹部のいずれか一方は、前記スリットを挟んだ両側に分割して形成され、前記嵌合凸部と嵌合凹部が嵌合することによって、前記顔部と後頭部が着脱可能に接合し、前記人形頭部及び人形胴体のいずれか一方に膨出部が形成され、その他方に、前記膨出部を回転自在に受ける受部が形成されることを特徴とする、人形が提供される。該人形においては、一端が開口したスリットにより与えられる可撓性によって、顔部及び後頭部への過度の負荷なく顔部及び後頭部が繰り返し着脱可能となる。また、受部が、膨出部を回転自在に受けるよう形成されることにより、人形胴体と人形頭部との間に不自然な隙間等を生じることなく、上下左右任意の角度に人形頭部を自在に可動させることができる。
【００１５】
本発明の一態様によれば、顔部と後頭部が着脱可能に接合する人形頭部と、人形胴体とを有する人形であって、前記人形頭部は、嵌合凸部と、前記顔部及び後頭部のそれぞれの内部に形成され、一端が開口したスリットと、前記スリットの内側に形成された嵌合凹部と、を有し、前記嵌合凸部と、前記顔部及び後頭部のそれぞれの嵌合凹部とが嵌合することによって、前記顔部と後頭部が着脱可能に接合し、前記人形頭部及び人形胴体のいずれか一方に、膨出部が形成され、その他方に、前記膨出部を回転自在に受ける受部が形成されることを特徴とする、人形が提供される。該人形においては、一端が開口したスリットにより与えられる可撓性によって、顔部及び後頭部への過度の負荷なく顔部及び後頭部が繰り返し着脱可能となり、また、嵌合凸部が破損した場合、嵌合凸部のみを独立して交換することが可能である。また、受部が、膨出部を回転自在に受けるよう形成されることにより、人形胴体と人形頭部との間に不自然な隙間等を生じることなく、上下左右任意の角度に人形頭部を自在に可動させることができる。
【００１６】
本発明の一態様によれば、顔部と後頭部が着脱可能に接合する人形頭部と、人形胴体とを有する人形であって、前記人形頭部は、前記顔部及び後頭部の内部にそれぞれ形成された嵌合凸部と、一端が開口したスリットの内側に形成された嵌合凹部と、を有し、前記顔部及び後頭部のそれぞれの嵌合凸部と、前記嵌合凹部とが嵌合することによって、前記顔部と後頭部が着脱可能に接合し、前記人形頭部及び人形胴体のいずれか一方に、膨出部が形成され、その他方に、前記膨出部を回転自在に受ける受部が形成されることを特徴とする、人形が提供される。該人形においては、一端が開口したスリットにより与えられる可撓性によって、顔部及び後頭部への過度の負荷なく顔部及び後頭部が繰り返し着脱可能となり、また、嵌合凹部が破損した場合、嵌合凹部のみを独立して交換することが可能である。また、受部が、膨出部を回転自在に受けるよう形成されることにより、人形胴体と人形頭部との間に不自然な隙間等を生じることなく、上下左右任意の角度に人形頭部を自在に可動させることができる。
【００１７】
さらに本発明の一態様によれば、前記受部の少なくとも一部が、前記膨出部の赤道面を超えるよう形成されることを特徴とする、前記の人形が提供される。該人形においては、受部が膨出部を抱持することにより、人形胴体に対して人形頭部が安定して固定される。また、顔部又は後頭部のいずれかと人形胴体との固定、着脱及び可動もより容易に安定して行うことができる。
【００１８】
さらに本発明の一態様によれば、前記顔部又は後頭部と、前記人形胴体とを連結する連結部材を有する、前記の人形が提供される。該人形においては、顔部又は後頭部と人形胴体との連結によって、人形頭部の人形胴体に対する固定がより安定したものとなる。また、顔部又は後頭部のいずれか一方（例えば、顔部）を人形胴体と連結させた状態で、他方（例えば、後頭部）を着脱することができるため、顔部又は後頭部のうち所望の側を、より容易に着脱可能な人形が提供される。
【００１９】
さらに本発明の一態様によれば、前記後頭部に毛髪様材料が付着し、前記後頭部が前記毛髪様材料と同系色に着色された、前記の人形頭部が提供される。
【００２０】
さらに本発明の一態様によれば、前記連結部材が弾性部材である、前記の人形頭部が提供される。
【発明の効果】
【００２１】
本発明によれば、その顔部及び後頭部が過度の負荷なく（すなわち、破損及び汚損の恐れなく）着脱可能で、特に顔と髪型のカスタマイズに非常に適した人形頭部が提供される。また、顔部と後頭部とは、人形胴体がなくとも、相互に接合して安定して固定されて人形頭部を形成するため、人形頭部（顔部と後頭部）のみの展示も容易である。さらには、本発明によれば、磁性体や接着剤等の特別な材料を用いることなく、顔部及び後頭部を着脱可能な人形頭部が提供されるため、生産上の利点も有する。また、本発明によれば、顔部と後頭部が着脱可能に接合する人形頭部が人形胴体に対して三次元方向に自由に安定して可動する人形が提供されるため、人形の顔を自由な方向に向け、自然なポーズをとらせることもできる。
【図面の簡単な説明】
【００２２】
【図１】実施形態１に係る人形頭部及び人形胴体上半身の一部省略側面断面図である。
【図２】実施形態１に係る人形頭部における顔部と後頭部との接合を示す斜視図である。
【図３】実施形態１に係る人形頭部の顔部の真上からの図（ａ）及び真下からの平面図（ｂ）である。
【図４】実施形態１に係る人形頭部の顔部における義眼及び義歯等の固定を示す正面からの部分断面図（ａ）及び側面断面図（ｂ）である。
【図５】実施形態１に係る人形頭部の後頭部の内部を示す斜視図である。
【図６】実施形態１に係る人形頭部における様々な髪型の後頭部の例を示す斜視図である。
【図７】実施形態１に係る人形頭部の、人形胴体に対する可動を示す側面断面図（ａ〜ｃ）及び正面部分断面図（ｄ〜ｆ）である。
【図８】実施形態１において、顔部を人形胴体と連結させた人形の上半身の正面図（ａ）、側面図（ｂ）及び背面図（ｃ）である。
【図９】実施形態１において、人形胴体の胸部を取り外し可能とした態様を示す、側面図（ａ）及び側面断面図（ｂ）である。
【図１０】実施形態１において、顔部を人形胴体と連結させた状態での後頭部の着脱（ａ）及び後頭部を人形胴体と連結させた状態での顔部の着脱（ｂ）を示す、側面部分断面図である。
【図１１】実施形態２に係る人形頭部における後頭部と嵌合凸部を示す斜視図である。
【図１２】実施形態３に係る人形頭部の顔部及び後頭部並びに嵌合凹部を示す斜視図である。
【図１３】実施形態４に係る人形頭部における顔部と後頭部を示す斜視図である。
【図１４】実施形態５に係る人形頭部における顔部と後頭部を示す斜視図である。
【図１５】実施形態６に係る人形頭部における後頭部を示す斜視図である。
【図１６Ａ】実施形態７に係る人形頭部における顔部を示す斜視図である。
【図１６Ｂ】実施形態７に係る人形頭部の他の態様における顔部を示す分解斜視図である。
【図１７】実施形態８に係る人形頭部における顔部側連結具及び顔部並びに後頭部側連結具及び後頭部を示す斜視図である。
【図１８】実施形態９に係る人形頭部における顔部と、複数の後頭部を示す斜視図である。
【図１９】実施形態１０に係る人形頭部における顔部と後頭部を示す斜視図である。
【図２０】実施形態１０に係る人形頭部の、人形胴体に対する可動を示す側面図（ａ）及び側面断面図（ｂ）〜（ｄ）である。
【図２１】参考例に係る人形頭部の顔部及び後頭部を示す斜視図である。
【発明を実施するための形態】
【００２３】
以下、本発明の実施形態を図に基づいて説明する。なお、図に開示する実施形態は本発明の一実施形態にすぎず、本発明は何等これに限定して解釈されるものではない。本明細書の記載に基づいて当業者であれば可能な設計変更は本発明の範囲内である。
【００２４】
図１は、本発明の実施形態１に係る人形頭部及び人形胴体上半身の一部省略側面断面図である。図２は、本発明の実施形態１に係る人形頭部における顔部と後頭部との接合を示す斜視図である。図３は、本発明の実施形態１に係る人形頭部の顔部の真上からの図（ａ）及び真下からの平面図（ｂ）である。図４は、本発明の実施形態１に係る人形頭部における義眼固定部材を示す正面からの部分断面図（ａ）及び側面断面図（ｂ）である。図５は、本発明の実施形態１に係る人形頭部の後頭部の内部を示す斜視図である。図６は、本発明の実施形態１に係る人形頭部における様々な髪型の後頭部の例を示す斜視図である。図７は、本発明の実施形態１に係る人形頭部の、人形胴体に対する可動を示す側面断面図（ａ〜ｃ）及び正面部分断面図（ｄ〜ｆ）である。図８は、本発明の実施形態１において、顔部を人形胴体と連結させた人形の上半身の正面図（ａ）、側面図（ｂ）及び背面図（ｃ）である。図９は、本発明の実施形態１において、人形胴体の胸部を取り外し可能とした態様を示す、側面図（ａ）及び側面断面図（ｂ）である。図１０は、本発明の実施形態１において、顔部を人形胴体と連結させた状態での後頭部の着脱（ａ）及び後頭部を人形胴体と連結させた状態での顔部の着脱（ｂ）を示す、側面部分断面図である。
【００２５】
図１に示す人形は、人形頭部１と人形胴体２とを有している。人形頭部１は、顔部３と後頭部４から構成される。図２に示すように、顔部３の内部には一端が開口したスリット５が形成され、その内側に嵌合凹部６が形成される。また、後頭部４には嵌合凸部７が形成される。嵌合凹部６と嵌合凸部７が嵌合して、顔部３と後頭部４が接合面８を介して接合し、受部９を有する人形頭部１を形成する。
【００２６】
図１〜４に示すように、顔部３の内部は顔面１０に対して垂直方向に設けられた顔部内板１１によって上顔部１２と下顔部１３とに分割され、この顔部内板１１に、スリット５が設けられている。顔部３の内部には、義眼１４及び義歯等１５（義歯１５ａ、義歯押さえ部材１５ｂ、舌１５ｃ）に代表される内部部材を取り付けることが可能である。義眼押さえ部材１６は、垂直方向に延びる垂直部１６ａと、当該垂直部１６ａの上端の両側から水平方向に延びる水平部１６ｂを有する。顔部３の内部には、義眼１４が載置される義眼載置部１７と、垂直部１６ａを固定する固定部１８が設けられ、義眼載置部１７に載置された義眼１４が、義眼押さえ部材１６の水平部１６ｂにより上から押さえられて固定され、義眼１４が眼孔１９から覗く。垂直部１６ａは、義歯等１５に設けられた孔を貫通して義歯等１５も固定し、義歯等１５が口孔２０から覗く。
【００２７】
図５に示すように、後頭部４の後頭部外縁２１は、人形頭部１の表面に顔部３と後頭部４との接合面８として線状に現れる。後頭部外縁２１は人の毛髪の生え際を模した線を描いて人形頭部１を垂直下方に伸び、受部９に突き当たる。また、図６に示すように、後頭部４には毛髪様材料２２を付着して様々な髪型を創ることができる。
【００２８】
図７及び８に示すように、人形頭部１の受部９が、人形胴体２の上部に位置する首部２３の上端に設けられた膨出部２４を、回転自在に受けるよう形成されることにより、人形頭部１が人形胴体２に対して自由に可動するよう固定される。図９に示すように、人形胴体２において、胸部３０を胸部前側３０ａと胸部後側３０ｂとに分割し、胸部嵌合凹部３１と胸部嵌合凸部３２とを介して接合するよう形成してもよい。また、図１０に示すように、顔部３に設けられた顔部側連結具２５又は後頭部４に設けられた後頭部側連結具２６のいずれかと、人形胴体２に設けられた胴体側連結具２７とを、連結部材２８で連結することで、人形頭部１と人形胴体２とを連結することができる。
【００２９】
実施形態１の人形頭部１においては、スリット５の可撓性を利用して、嵌合凹部６と嵌合凸部７とが嵌合することにより、顔部３と後頭部４とが接合して人形頭部１を構成する。
【００３０】
まず、図２に示すように、人形頭部１において顔部３と後頭部４とが接合する際の、嵌合凹部６と嵌合凸部７との嵌合について説明する。本発明においては、一端が開口したスリット５を挟んだ両側に分割して嵌合凹部６又は嵌合凸部７を設けることで、スリットの開口幅が若干変化することにより生じる可撓性を、顔部３と後頭部４との接合に利用することができる。そのため、顔部３と後頭部４とが過度の負荷なく、それぞれ容易に着脱可能となり、また、繰り返しの着脱にも耐え得る。スリット５を挟んだ両側に分割して嵌合凹部６が設けられる場合、スリット５の内部に嵌合凹部６を形成することができるため、成形が容易である。
【００３１】
スリット５及びこれを挟んだ両側に分割して形成される嵌合凹部６又は嵌合凸部７は、例えばポリスチレン（ＰＳ）、ポリエチレン（ＰＥ）、ポリウレタン（ＰＵ）、ポリプロピレン（ＰＰ）、ポリカーボネート（ＰＣ）、ポリアセタール（ＰＯＭ）、ポリ塩化ビニル（ＰＶＣ）、ポリエステル、アクリル（ＰＭＭＡ）、ナイロン、ＡＢＳ、エポキシ、ガラス繊維強化プラスチック（ＧＦＲＰ）、炭素繊維強化プラスチック（ＣＦＲＰ）、セルロース系プラスチック（アセテート）、生分解性プラスチック、エラストマー、シリコーン、各種ゴム、各種木材等、可撓性を有する任意の材料を用いて成形することができる。スリット５を挟まずに形成される嵌合凹部６又は嵌合凸部７は、可撓性を有していなくてもよく、任意の材料を用いて成形することができる。嵌合凹部６又は嵌合凸部７は、表面にエンボス加工等の滑り止めがあってもよい。
【００３２】
嵌合凹部６及び嵌合凸部７の形状は、これらが容易に顔部３と後頭部４とを着脱可能に接合する限り制限されないが、成型、着脱の容易性、繰り返しの着脱に対する耐久性等の観点からは、嵌合凸部７は曲面を有する球状又は楕円球状に形成し、嵌合凹部６は該球状又は楕円球状に対応する孔として形成することが好ましい。
【００３３】
嵌合凸部７及び嵌合凹部６の寸法は、人形頭部１内に収まる限り特に制限されないが、顔部３と後頭部４との接合が安定する範囲で小さく形成すれば、人形頭部１内に内部部材を固定するための空間を設けるという観点から、また、複数の嵌合凸部７及び嵌合凹部６を設けるという観点から、好都合である。例えば、約６．５ｃｍの人形頭部１（例えば全長約５８ｃｍの人形）において、直径３〜１８ｍｍ程度、好ましくは例えば直径８〜１２ｍｍ程度の球体を嵌合凸部７とすることが可能である。
【００３４】
なお、実施形態１に示すように、スリット５が、顔部内板１１のような内板に形成され、このスリット５の内側に嵌合凹部６が形成されていると、型抜成形等を容易に行うことができるばかりでなく、多少顔部３又は後頭部４が動いても、内板１１上に長く形成されたスリット５に沿って嵌合凸部７が動くため、簡単に外れにくく（遊びがある）、落下等で顔部３または後頭部４が傷つくこと防止することが可能である。後述の内部部材（義眼１４等）の人形頭部１内への設置も行いやすく、その落下も防ぐことができる。特に、図２に示すように、顔部３と後頭部４とが嵌合凹部６と嵌合凸部７との嵌合によって接合する際、顔部内板１１のスリット５と直交するように板状部材が後頭部４に形成され、この板状部材に連続して嵌合凸部７が設けられていると、顔部内板１１と後頭部４の板状部材との交差によって、顏部３と後頭部４のずれ（特に横方向のずれ）が発生しにくいという利点もある。
【００３５】
また、図１及び２から明らかなように、顔部３と後頭部４との接合面８は、人形頭部１と人形胴体２とが接触する受部９を通る面となるよう形成され、後頭部外縁２１が、人の毛髪の生え際の線を模して形成されている。これにより、以下に詳述する通り複数の利点を有する人形頭部１が得られる。
【００３６】
まず、顔部３及び後頭部４との接合面８を広くとることが可能になり、顔部３の内部に内部部材を着脱する場合等でも、繊細な作業が非常に行いやすいという利点が得られる。
【００３７】
また、例えば特許文献１に図示されるような従来の人形頭部では、額と後頭部の中心近辺（頭部上方）を通る直線で頭髪部（後頭部）と顔部とが分割されており、襟足の露出する髪型を人形に施そうとする場合に美観上の問題が生じていた。そこで、仮に美観上の問題を克服しようとして上記分割線を首側に近く下げた線とすると、人形胴体（首部）に対する頭部の固定に強度上の問題が生じることになる（顔を上向きにあげた際に、負荷の最もかかる襟足部分が、細く連続して形成されることになり、破損しやすくなる）。一方、実施形態１の人形頭部１においては、あらかじめ顔部３と後頭部４の分割線が、人形頭部１と人形胴体２とが接触する受部９を通るため、例えば人形頭部１を人形胴体２に対して上向きにあげた場合（図７（ｃ）に示す状態）であっても、負荷が顔部３と後頭部４とその接合面８を介して分散し、人形頭部１が破損する恐れがない。
【００３８】
さらに、後頭部外縁２１が、人の毛髪の生え際の線を模して形成されている（特にもみあげの部分のＶ字形状等が形成されている）ことにより、顔部３と後頭部４との接合に方向性が生じ、顔部３と後頭部４とを所望の方向で安定して繰り返し着脱することが可能となる。
【００３９】
次に、図３〜６に示す、顔部３及び後頭部４について、それぞれ詳述する。本発明の人形頭部１は、顔部３及び後頭部４がそれぞれ独立に着脱可能であるから、これらをそれぞれ複数用意して需要者の好みに応じて自由に組み合わせることができる。例えば、人を模した人形頭部１であれば、顔部３として、喜怒哀楽様々な表情を有する顔部３、多様な化粧を施した顔部３、日焼けした顔色を有する顔部３、変身前後の顔部３、異なる人物の顔部３等を用意することができ、後頭部４として、図６に例示するような様々な髪型及び帽子やヘルメット等の頭部を修飾する造型物を有する後頭部４等を用意することができる。
【００４０】
顔部３及び後頭部４は、例えば、ポリスチレン（ＰＳ）、ポリエチレン（ＰＥ）、ポリウレタン（ＰＵ）、ポリプロピレン（ＰＰ）、ポリカーボネート（ＰＣ）、ポリアセタール（ＰＯＭ）、ポリ塩化ビニル（ＰＶＣ）、ポリエステル、アクリル（ＰＭＭＡ）、ナイロン、ＡＢＳ、エポキシ、ガラス繊維強化プラスチック（ＧＦＲＰ）、炭素繊維強化プラスチック（ＣＦＲＰ）、セルロース系プラスチック（アセテート）、生分解性プラスチック、エラストマー、シリコーン、各種ゴム、各種木材等、任意の材料を用いて、接合面８を介して顔部３と後頭部４とが接合した際に人形頭部１を形成するよう成形される。顔部３と後頭部４は、好ましくは、その内部の一部または全部が内部に空間を有するよう形成される。顔部３と後頭部４とは、同一材料で成形する必要はなく、また、部分的に異なる素材で成形してもよい。上述のスリット５、嵌合凹部６又は嵌合凸部７と、顔部３又は後頭部４とを、それぞれ同一材料で成形しても異なる材料で成形してもよく、一体成形することも別々に成形して当業者によく知られた手法を用いて結合することも可能である。
【００４１】
図３及び図４に示すように、顔部３は、内部の一部が空間を有するよう形成され、内部に、義眼１４及び義歯等１５（義歯１５ａ、義歯押さえ部材１５ｂ、舌１５ｃ）に代表される内部部材を取り付けることが可能である。例えば磁石や粘着剤を用いて顔部と後頭部とを着脱可能に接合しようとする場合、内部部材を取付けるための空間を人形頭部の内部に広く確保することは困難であった。なお、本明細書中、「義歯等」とは、人形の口周辺部に固定することを意図した構造の一部又は全部を指し、義歯のほか、義歯押さえ部材、義歯を伴っても伴わなくてもよい上顎部及び下顎部並びに舌等も含まれる。また、本明細書中、「内部部材」とは、人形頭部の内部に固定される部材であれば特に限定されず、所望の人形によって適宜選択することができ、義眼及び義歯等のほか、例えばロボットやモンスター等の顔部の場合、発光・発声する電子部品、義眼や顎等を可動させるためのモーター等の機械部品等であってもよい。
【００４２】
内部部材の顔部３の内部への固定方法は特に制限されず、着脱可能であっても着脱不可能であってもよい。例えば、接着材による接着、粘着材による粘着、ネジ止め、内部部材を着脱可能に固定するための固定部を顏部３の内部に設ける等、種々の手法を用いることができる。実施形態１においては、図４に示すように、顔部内板１１上に、義眼１４の下部を固定するよう義眼載置部１７が設けられている。また、顔部正面からみてＴ字状に形成された義眼押さえ部材１６は、垂直方向に延びる垂直部１６ａと、当該垂直部１６ａの上端の両側から水平方向に延びる水平部１６ｂを有し、顔部３の内部には、垂直部１６ａを固定する固定部１８が設けられている。垂直部１６ａが固定部１８に固定されると同時に、義眼載置部１７に載置された義眼１４が、水平部１６ｂにより上から押さえられて、それぞれの義眼１４が個別に着脱可能及び視線調整可能に、顔部３の内部に固定される。また、実施形態１においては、義眼押さえ部材１６が義歯等１５の固定も兼ねており、義歯等１５に設けた孔を垂直部１６ａが貫通して、義歯等１５もまた着脱可能に顔部３の内部に固定される。このようにして、例えば小さい人形頭部１内の限られた空間内であっても、義眼１４及び義歯等１５を着脱可能及び調整可能に顔部３の内部に固定することができる。垂直部１６ａと水平部１６ｂとは着脱可能であってもよく、必要に応じていずれか一方のみを用いてもよい（例えば、義歯等１５を、垂直部１６ａを用いて固定する場合等）。顔部３の内部に義眼押さえ部材１６を固定する方法は特に制限されず、所望の位置に固定部１８を設けることが出来るが、図２〜４に示すように、顔部３のスリット５の内側に固定部１８を設ければ、スリット５の可撓性を義眼押さえ部材１６の固定にも利用することができ、義眼の着脱を行うことができるため都合がよい。他の内部部材を顔部３の内部に固定する際にも、同様にスリット５の可撓性を利用することができる。
【００４３】
図５等に示す後頭部４に様々な髪型を施した例を図６に示す。人形頭部１が人を模した外観を有する場合には、後頭部外縁２１を、ちょうど人の毛髪の生え際を模した線を描いて形成することができる。これにより、例えば、結い上げる日本髪、ツインテイル、刈り上げ、ベリーショート、ショートボブ等、人形頭部１を後方側から見て生え際が露出する髪型を再現しようとする場合であっても美観上の問題が生じず、また、首部２３を広く露出することもできる。このように様々な髪型が施せる人形頭部１は、カット用マネキンとしての利用にも好適であり、この場合、後頭部４のみを交換し、顔部３を繰り返し利用することが可能である。
【００４４】
後頭部４には、造型による髪型表現の他、必要に応じ、当業者に公知の手法を用いて毛髪様材料２２を付着することができる。例えば、予め連結状の束とした、すだれ形状の毛髪様繊維を貼り付ける手法や、直接、特殊ミシンで垂直に毛髪様繊維を植え込む手法、布材のファーを面で貼り付ける等の方法を用いることができる。ここで、後頭部４の表面全てに万遍なく微細に毛髪様材料２２を付着させることは非常に困難であり、一般に、実際の人体の毛穴よりもはるかに少ない数の孔や溝に、まとめて毛髪様材料２２の束が設置されるため、人形の後頭部４は表面が部分的に露出するという美観上の問題が生じる。この問題に対処する方法として、後頭部表面が露出しても目立たないよう、毛髪様材料２２と同系色に後頭部４の表面を着色する場合がある。本発明の人形頭部１において、後頭部外縁２１は人の毛髪の生え際を模した線を描いて形成することが可能であるため、このように後頭部４を着色する場合にも、部分的な塗り分けの手間を省くことができ、都合がよい。また、後頭部４自体を所望の毛髪の色に合わせた単一の色に予め成形することも可能であり、都合がよい。
【００４５】
次に、図７および図８に示す、人形頭部１の人形胴体２への固定を説明する。人形頭部１の人形胴体２への固定は、膨出部２４と、これを回転自在に受けるよう形成された受部９により行われる。人形頭部１は、顔部３と後頭部４とが膨出部２４を抱持するように接合して、受部９を有する人形頭部１として人形胴体２の首部２３に固定される。ここで、スリット５が受部９と連続して形成されていると（図２等も参照）、スリット５が後述の実施形態５及び１０に記載の首側スリット２９の役割も兼ね、その可撓性を膨出部２４の抱持にも利用することができる。後述の図１０に示すように、後頭部４と人形胴体２とを連結部材２８で連結した状態で顔部３を着脱する際の、連結部材２８や後頭部側連結具２６等を通すための通路として、又は顔部３と人形胴体２とを連結部材２８で連結した状態で後頭部４を着脱する際の、連結部材２８や顔部側連結具２５等を通すための通路として、スリット５を利用することも出来る。また、人形頭部１の顎、耳後方、襟足等のフォルムが、膨出部２４の最も膨出した赤道面を超えるよう形成されるため、人体と同様のフォルムを不自然な凹凸が生じることなく模すことができ、美観にも優れる。
【００４６】
例えば特許文献２に図示されるように、従来の着脱可能な頭部を有する人形頭部において、人形頭部の後半頭部（後頭部）に固定孔を設け、人形胴体上端に設けた円筒状の凹凸を有する固定片を差し込む構造を採用するものがあった。しかし、この構造では、固定片に設けた凹凸に沿って人形頭部が可動するために人形頭部が水平方向にしか動かず、上下（前後）、左右又は斜め方向に人形頭部を可動（揺動）させた場合には首と人形頭部との間に隙間が生じてしまう、多様な姿勢に対応できない、首部から人形頭部が簡単に外れてしまう等の問題があった。一方、本発明の人形頭部１は、首部２３に対して上下方向（図７ａ、ｃ）、左右方向（図７ｆ）及び斜め方向（図７ｄ）のいずれにも自在に可動し、美観を損なわずに多様な姿勢をとることが可能である。
【００４７】
膨出部２４及び受部９の形状は、人形頭部１が首部２３の上部で自由に可動するよう固定される限り制限されない。首部２３の上部を膨出部２４とした態様においては、人形頭部１を可動させた場合に膨出部２４の一部が露出するため、膨出部２４と首部２３とを一体化して形成することが美観上好ましい。人形胴体２の、首部２３より下側の構造は特に制限されず、例えば、首部２３を、人形胴体２と分割して形成し、首部２３自体を人形胴体２に対して可動するよう形成することもできる。また、図９に示すように、人形胴体２において、首部２３と独立して設けた胸部３０を胸部前側３０ａと胸部後側３０ｂとに分割し、胸部嵌合凹部３１と胸部嵌合凸部３２との嵌合によって胸部前側３０ａと胸部後側３０ｂとが接合するよう形成することで、胸部３０を交換可能及び可動可能とすることもできる。
【００４８】
図１０は、人形頭部１を有する人形胴体２において、顔部３を人形胴体２と連結させた状態での後頭部４の着脱（ａ）及び後頭部４を人形胴体２と連結させた状態での顔部３の着脱（ｂ）を示す。図１０に示すように、膨出部２４の最も膨出した赤道面を超えるように受部９が形成されることで、受部９が膨出部２４を抱持し、人形頭部１が安定して人形胴体２に固定される。図１０においては連結部材２８を用いているが、連結部材２８がなくとも、膨出部２４の最も膨出した赤道面を超えるように受部９が形成されることで、顔部３のみと人形胴体２との固定、着脱及び可動を容易に安定して行うことができる。例えば、顔部３と後頭部４のうち、後頭部４側の受部９の面積を増やす等、受部９、膨出部２４、顔部３及び後頭部４の構成によっては、後頭部４のみと人形胴体２との固定、着脱、可動を容易に安定して行うことが可能な形態とすることもできる。
【００４９】
上述の通り、膨出部２４と回転受部９とで、人形頭部１は人形胴体２に安定して固定されるが、この固定をさらに安定させる目的、また、顔部３又は後頭部４のどちらか一方のみを、より容易に着脱可能とする目的で、連結具２５〜２７（顔部側連結具２５、後頭部部側連結具２６及び胴体側連結具２７）及び連結部材２８を利用することができる。すなわち、顔部３に設けた顔部側連結具２５又は後頭部４に設けた後頭部側連結具２６と、人形胴体２に設けた胴体連結具２７とを、連結部材２８で連結することで、人形頭部１と人形胴体２とのより安定した固定を提供可能である。
【００５０】
連結部材２８として用いる部材は特に制限されないが、好ましくは弾性部材であり、簡便にはゴムや引きバネ等を用いることができる。連結部材として弾性部材を用いることで、弾性部材の伸びを利用して顏部３又は後頭部４の着脱が容易となり、また、弾性部材の反発力を利用して人形頭部１と人形胴体２とが付勢しながら密着するため、不自然な隙間が生じることを防ぐことができ、美観上好ましい。また、付勢により発生する摩擦力によって人形頭部１の人形胴体２に対する姿勢の固定も容易に行うことができる。
【００５１】
連結具２５〜２７は、人形頭部１又は人形胴体２の内部形状、材質、連結部材２８の材質等に応じて、適切な形状、材質、大きさのものを、適切な位置に取り付けることができる。例えば、形状としては、フック状、リング状、Ｔ字状等が挙げられ、これらを個別に作成して固定してもよいし（ネジ止め、孔や溝を設けてフックを引っ掛ける等の手法）、顔部３、後頭部４又は人形胴体２の一部が連結具２５、２６又は２７の形状となるよう形成してもよい。また取り付ける位置としては、例えば、顔部側連結具２５及び後頭部部側連結具２６を、顔部３及び後頭部４の内部の、嵌合凸部７に取り付けてもよいし、その他の取り付け位置を設けてもよい。例えば、スリット５の可撓性を利用して取り付け位置を設けてよい。人形胴体２においては、首部２３に胴体側連結具２７を設けてもよいし、人形胴体２の内部に胴体側連結具２７を取り付けてもよい。このような場合、首部２３をその内部が空間を有するよう形成し、連結部材２８が首部２３を貫通することが可能である。
【００５２】
連結具２５〜２７は、人形頭部１と人形胴体２に、それぞれ少なくとも１つ設ければ、これらを連結部材２８で連結することが可能であるが、人形頭部１側に、顔部側連結具２５と後頭部側連結具２６の２つの連結具を設け、いずれかを選択して胴体側連結具２７と連結することにより、顔部３又は後頭部４の選択的な着脱が容易になる。また、顔部３と後頭部４のうち、着脱を意図しない側が転落して傷つく心配もない。
【００５３】
例えば、顔部側連結具２５と胴体側連結具２７とを連結部材２８で連結した場合、人形胴体２と連結しない後頭部４を一工程で容易に着脱することができるため、髪型を頻繁に変える場合や、顔部３の内部部材の着脱、調整時等に好都合である。また、顔部３にメイクを施す際に、後頭部４の毛髪様材料２２が邪魔にならないよう後頭部４を外し、顏部３のみを人形胴体２に安定して固定したままメイクを施すこともできる。
【００５４】
一方、後頭部側連結具２６と胴体側連結具２７とを連結部材２８で連結した場合、人形胴体２と連結しない顔部３を一工程で容易に着脱することができるため、顔を頻繁に変えたい場合等に好都合である。また、後頭部４の髪型を整える際、顏部３の汚損等を回避するため顔部３を外し、後頭部４のみ人形胴体２に安定して固定したまま髪型を整えることができる。これにより人形全体に対する髪型のバランスを確認しつつ作業を行うことができ、また、毛髪様材料２２の絡まりを避けることもでき、作業効率も向上する。
【００５５】
以上の実施形態によれば、顔部３と後頭部４が着脱可能に接合する人形頭部１であって、前記顔部３及び後頭部４のいずれか一方の内部に形成された嵌合凸部７と、その他方の内部に形成された嵌合凹部６と、前記顔部３及び後頭部４のいずれか一方の内部に形成され、一端が開口したスリット５と、を有し、前記嵌合凸部７及び嵌合凹部６のいずれか一方は、前記スリット５を挟んだ両側に分割して形成され、前記嵌合凸部７と嵌合凹部６が嵌合することによって、前記顔部３と後頭部４が着脱可能に接合することを特徴とする、人形頭部１が提供される。該人形頭部１においては、接着材等の特別な材料や、ネジ止め等の特別な加工を施すことなく、一端が開口したスリット５により与えられる可撓性によって、過度の負荷なく顔部３及び後頭部４が繰り返し着脱可能となる。
【００５６】
また、前記の人形頭部１において、嵌合凸部７が後頭部４の内部に形成され、スリット５が顔部３の内部に形成され、嵌合凹部６が、スリット５の内部に形成されることを特徴とする、人形頭部１も提供される。該人形頭部１においては、嵌合凹部６がスリット５の内部に形成されるため、これらの嵌合凹部６及びスリット５の成形が容易である。
【００５７】
また、前記の人形頭部１において、前記顔部３及び／又は後頭部４がその内部に内部部材を有することを特徴とする、前記の人形頭部１も提供される。該人形頭部１においては、顔部３と後頭部４が着脱可能に接合しているため、その内部に内部部材（例えば、義眼１４、義歯等１５）を設けることが容易であり、また、これらを着脱可能とすること、位置の微調整を行うこと等が可能となる。
【００５８】
また、前記の人形頭部１において、顔部３がその内部に、義眼１４と、義眼１４が載置される義眼載置部１７と、垂直方向に延びる垂直部１６ａと当該垂直部１６ａの上端の両側から水平方向に延びる水平部１６ｂを有し顔部３正面から見てＴ字状に形成され、義眼１４を上から押さえる義眼押さえ部材１６と、前記垂直部１６ａを固定する固定部１８と、を有し、義眼載置部１７に載置された義眼１４が、義眼押さえ部材１６の水平部１６ｂにより上から押さえられることを特徴とする、人形頭部１も提供される。該人形頭部１においては、人形頭部１の内部のような狭い空間においても、左右の義眼１４それぞれを視線調整可能に固定することができる。
【００５９】
また、前記の人形頭部１において、後頭部外縁２１が、人の毛髪の生え際の線を模して形成される、人形頭部１も提供される。該人形頭部１においては、後頭部外縁２１が、人の毛髪の生え際の線を模して形成されるため、従来美観上の問題の回避が困難であった、襟足の露出する髪型を有する人形頭部１を提供することができる。また、顔部３と後頭部４との接合がより強固になり、さらには、顔部３と後頭部４の接合面８が広いため、前記顔部３の内部に内部構造を設ける場合や、この内部構造を着脱可能とし、調整する場合にも作業が行いやすい。
【００６０】
また、以上の実施形態によれば、前記の人形頭部１と人形胴体２とを有する人形であって、人形頭部１及び人形胴体２のいずれか一方に、膨出部２４が形成され、その他方に、膨出部２４を回転自在に受ける受部９が形成されることを特徴とする、人形が提供される。該人形においては、一端が開口したスリット５により与えられる可撓性によって、顔部３及び後頭部４への過度の負荷なく顔部３及び後頭部４が繰り返し着脱可能となる。また、受部９が、膨出部２４を回転自在に受けるよう形成されることにより、人形胴体２と人形頭部１との間に不自然な隙間等を生じることなく、上下左右任意の角度に人形頭部１を自在に可動させることができる。
【００６１】
また、以上の実施形態によれば、受部９の少なくとも一部が、膨出部２４の赤道面を超えるよう形成されることを特徴とする、前記の人形も提供される。該人形においては、受部９が膨出部２４を抱持することにより、人形胴体２に対して人形頭部１が安定して固定される。また、顔部３又は後頭部４のいずれかと人形胴体２との固定、着脱及び可動もより容易に安定して行うことができる。
【００６２】
また、以上の実施形態によれば、前記顔部３又は後頭部４と、前記人形胴体２とを連結する連結部材２８を有する、前記の人形も提供される。該人形においては、顔部３又は後頭部４と人形胴体２との連結によって、人形頭部１の人形胴体２に対する固定がより安定したものとなる。また、顔部３又は後頭部４のいずれか一方（例えば、顔部３）を人形胴体２と連結させた状態で、他方（例えば、後頭部４）を着脱することができるため、顔部３又は後頭部４のうち所望の側を、より容易に着脱可能な人形が提供される。
【００６３】
以下に、本発明の他の実施態様について説明する。
【００６４】
図１１は、実施形態２に係る人形頭部１における後頭部４と嵌合凸部７を示す斜視図である。実施形態２における顔部３は、実施形態１や後述の実施形態７のように、スリット５及びスリット５の内側に形成された嵌合凹部６を有する顔部３である。実施形態２に係る人形頭部１においては、顔部３と後頭部４とは独立して嵌合凸部７を用意する。顔部３及び後頭部４の内部には、それぞれ、その一端が開口したスリット５が形成され、該スリット５の内部に嵌合凹部６がそれぞれ形成される。嵌合凸部７は、これらの嵌合凹部６のそれぞれに対応するよう形成され、それぞれのスリット５が嵌合凸部７を挟み込むように、嵌合凸部７とそれぞれの嵌合凹部６とが嵌合することによって、顔部３と後頭部４とが着脱可能に接合して人形頭部１を形成する。このように、顔部３と後頭部４とは独立した嵌合凸部７を用いれば、嵌合凸部７が破損した場合にも、嵌合凸部７のみを交換すればよく、都合がよい。また、単一の嵌合凸部７を用いて、顔部３と後頭部４とを選択的に着脱、固定可能となる。
【００６５】
嵌合凸部７の形状は、上記の嵌合が可能である形状であればよく、例えば図１１に示すような球状とすれば、成型が容易であり、また、嵌合凸部７に連結部材等を介した力がかかる場合であっても嵌合凸部７が回転するため破損しにくい。また、顔部３と後頭部４のそれぞれの嵌合凹部６に対応する隆起線や溝線等の構造を設けた嵌合凸部７とすることで、より嵌合の強度を高め、一定方向への嵌合を行うこともできる。なお、実施形態１の手法に準じて、実施形態２の人形頭部１を、実施形態１の人形胴体２に固定し、実施形態２の人形を得ることができる。
【００６６】
以上の実施形態によれば、顔部３と後頭部４が着脱可能に接合する人形頭部１であって、嵌合凸部７と、顔部３及び後頭部４のそれぞれの内部に形成され、一端が開口したスリット５と、スリット５の内側に形成された嵌合凹部６と、を有し、嵌合凸部７と、顔部３及び後頭部４のそれぞれの嵌合凹部６とが嵌合することによって、顔部３と後頭部４が着脱可能に接合することを特徴とする、人形頭部１が提供される。該人形頭部１においては、一端が開口したスリット５により与えられる可撓性によって、過度の負荷なく顔部３及び後頭部４が繰り返し着脱可能となり、また、嵌合凸部７が破損した場合、嵌合凸部７のみを独立して交換することが可能である。
【００６７】
また、以上の実施形態によれば、前記の人形頭部１と人形胴体２とを有する人形であって、人形頭部１及び人形胴体２のいずれか一方に、膨出部２４が形成され、その他方に、膨出部２４を回転自在に受ける受部９が形成されることを特徴とする、人形が提供される。該人形においては、一端が開口したスリット５により与えられる可撓性によって、顔部３及び後頭部４への過度の負荷なく顔部３及び後頭部４が繰り返し着脱可能となり、また、嵌合凸部７が破損した場合、嵌合凸部７のみを独立して交換することが可能である。また、受部９が、膨出部２４を回転自在に受けるよう形成されることにより、人形胴体２と人形頭部１との間に不自然な隙間等を生じることなく、上下左右任意の角度に人形頭部１を自在に可動させることができる。
【００６８】
図１２は、実施形態３に係る人形頭部１における顔部３及び後頭部４並びに嵌合凹部６を示す斜視図である。実施形態３に係る人形頭部１においては、顔部３と後頭部４とは独立して嵌合凹部６を用意する。嵌合凹部６は、一端が開口したスリット５の内側に形成される。顔部３及び後頭部４の内部には、それぞれ、嵌合凸部７が形成される。これらの嵌合凸部７のそれぞれに対応するようなそれぞれの嵌合凹部６は連続して形成され、それぞれのスリット５が嵌合凸部７を挟み込むように、それぞれの嵌合凸部７とそれぞれの嵌合凹部６とが嵌合することによって、顔部３と後頭部４とが着脱可能に接合して人形頭部１を形成する。このように、顔部３と後頭部４とは独立した嵌合凹部６を用いれば、嵌合凹部６が破損した場合にも、嵌合凹部６のみを交換すればよく、都合がよい。また、顔部３及び後頭部４を硬度の高い材料で成形する場合等にも都合がよい。なお、場合によっては図１２に示した後頭部側連結具２６を、顔部側連結具２５として用いることもできる。
【００６９】
嵌合凸部７及び嵌合凹部６の形状は、上記の嵌合が可能である形状であればよく、例えば図１２に示すような球状と該球を受ける外殻状とすれば、成形が容易であり、また、嵌合凹部６に連結部材等を介した力がかかる場合であっても嵌合凹部６が揺動可能なため破損しにくい。なお、実施形態１の手法に準じて、実施形態３の人形頭部１を、実施形態１の人形胴体２に固定し、実施形態３の人形を得ることができる。
【００７０】
以上の実施形態によれば、顔部３と後頭部４が着脱可能に接合する人形頭部１であって、顔部３及び後頭部４の内部にそれぞれ形成された嵌合凸部７と、一端が開口したスリット５の内側に形成された嵌合凹部６と、を有し、顔部３及び後頭部４のそれぞれの嵌合凸部７と、嵌合凹部６とが嵌合することによって、顔部３と後頭部４が着脱可能に接合することを特徴とする、人形頭部１が提供される。該人形頭部１においては、一端が開口したスリット５により与えられる可撓性によって、過度の負荷なく顔部３及び後頭部４が繰り返し着脱可能となり、また、嵌合凹部６が破損した場合、嵌合凹部６のみを独立して交換することが可能である。
【００７１】
また、以上の実施形態によれば、前記の人形頭部１と人形胴体２とを有する人形であって、人形頭部１及び人形胴体２のいずれか一方に、膨出部２４が形成され、その他方に、膨出部２４を回転自在に受ける受部９が形成されることを特徴とする、人形が提供される。該人形においては、一端が開口したスリット５により与えられる可撓性によって、顔部３及び後頭部４への過度の負荷なく顔部３及び後頭部４が繰り返し着脱可能となり、また、嵌合凹部６が破損した場合、嵌合凹部６のみを独立して交換することが可能である。また、受部９が、膨出部２４を回転自在に受けるよう形成されることにより、人形胴体２と人形頭部１との間に不自然な隙間等を生じることなく、上下左右任意の角度に人形頭部１を自在に可動させることができる。
【００７２】
図１３は、実施形態４に係る人形頭部１における顔部３と後頭部４を示す斜視図である。実施形態４においては、顔部３の内部にスリット５が形成され、スリット５を挟んだ両側に分割して嵌合凸部７が形成され、後頭部４の内部に嵌合凹部６が形成される。スリット５の可撓性を利用して、嵌合凹部６と嵌合凸部７とが嵌合すると、顔部３と後頭部４とが接合面８で接合し、人形頭部１を構成する。また、顔部側連結具２５は、スリット５と交差するような独立したフックとして設けられており、顔部３への取り付けや破損時の交換も容易である。なお、実施形態４の顔部３を、実施形態２、３または５の後頭部４と組み合わせることも可能である。また、実施形態４の変形例として、後頭部４の内側にスリット５を有する嵌合凸部７を設け、顔部３の内側に嵌合凹部６を設けてもよい。さらに、実施形態１の手法に準じて、実施形態４の人形頭部１を、実施形態１の人形胴体２に固定し、実施形態４の人形を得ることができる。
【００７３】
図１４は、実施形態５に係る人形頭部１における顔部３と後頭部４を示す斜視図である。実施形態５においては、顔部３の内部に嵌合凸部７が形成され、後頭部４の内部にスリット５が形成され、スリット５を挟んだ両側に分割して嵌合凹部６が形成される。後頭部４のスリット５の可撓性を利用して、嵌合凹部６と嵌合凸部７とが嵌合すると、顔部３と後頭部４とが接合面８で接合し、人形頭部１を構成する。このように、スリット５が後頭部４の内部に設けられている場合、特に顔部３の破損を防ぎたい場合、顔部３を硬度の高い材料で成形する場合等に都合がよい。
【００７４】
図１４に示すように、顔部３は、好ましくは、首側スリット２９を有する。首側スリット２９を設けることにより、首側スリット２９の可撓性を利用して、人形頭部１を人形胴体２に安定して固定することができる。また、後頭部４と人形胴体２とを連結部材２８で連結する際に、連結部材２８や後頭部側連結具２６等を通すための通路として、又は顔部３と人形胴体２とを連結部材２８で連結する際に、連結部材２８や顔部側連結具２５等を通すための通路として、首側スリット２９を利用することも出来る。なお、顔部３にスリット５を有する実施形態においては、スリット５がこの首側スリット２９の役割の一部又は全部を兼ねる。なお、実施形態１の手法に準じて、実施形態５の人形頭部１を、実施形態１の人形胴体２に固定し、実施形態５の人形を得ることができる。
【００７５】
図１５は、実施形態６に係る人形頭部１における後頭部４を示す斜視図である。実施形態５は実施形態１の変形例であり、後頭部４に設けられた嵌合凸部７が、後頭部４に対して横方向にスライドして着脱可能であり、例えば、嵌合凸部７に後頭部側連結具２６を設けて下方向の力がかかる場合であっても、安定して後頭部４に固定される。このように、嵌合凹部６及び嵌合凸部７は、顔部３及び後頭部４とは別々に成形して結合してもよい。実施形態６においては、嵌合凸部７が破損した場合にも、嵌合凸部７のみを交換すればよい。また、単一の嵌合凸部７を用いて、顔部３と後頭部４とを選択的に着脱、固定可能となる。
【００７６】
図１６Ａは、実施形態７に係る人形頭部１における顔部３を示す斜視図である。図１６Ｂは、実施形態７に係る人形頭部１の他の態様における顔部３を示す分解斜視図である。実施形態７は実施形態１の変形例であり、顔部３の内部に設けられたスリット５及びスリット５の内部に形成された嵌合凹部６が、顏部３の内部に設置された棒状部材の先にある。また、顔部３の内部には内板はなく、義眼載置部１７は、眼孔１９に近接して形成されている。実施形態７からも明らかなように、顔部３又は後頭部４と、これらの内部に形成されるスリット５、嵌合凹部６又は嵌合凸部７とは、一体成形される必要はなく、それぞれを個別に成形し、接着やネジ止めによって顔部３や後頭部４の内部に固定することができる。従って、顔部３又は後頭部４を適切な材料（ソフトビニル等の比較的柔らかい材料でも硬い材料でもよい）で成形し、スリット５、嵌合凹部６又は嵌合凸部７を、嵌合に適した硬度を有する材料で成形し、これらを組み合わせることも可能である。また、実施形態７は、人形頭部１の内部空間をより広く確保することが可能であり、使用する材料の量が少なく、例えば中空成形によるマネキン頭部のような、比較的大きく軽さを要する人形頭部１の製造の際に特に好ましい。
【００７７】
なお、図１６Ｂにおいては、顔部３に設けられた嵌合凹部６（およびスリット５）が、顔部３から着脱可能なよう形成されているため、嵌合凹部６が破損した場合にも、嵌合凹部６のみを交換すればよい。また、図１６Ｂに示すように、着脱可能な嵌合凹部６は、顔部側連結具２５や、義眼押さえ部材１６を固定可能なよう形成することも可能である。さらに、嵌合凹部６は、顔部３に対し、回転可能であっても角度維持可能であってもよい。図１６Ｂに示した実施形態に準じて、他の実施形態においても、嵌合凹部６又は嵌合凸部７を、顔部３又は後頭部４に対して着脱可能なように形成することができる。
【００７８】
図１７は、実施形態８に係る人形頭部１の顔部３における顔部側連結具２５及び後頭部４における後頭部側連結具２６を示す斜視図である。実施形態８は、実施形態１の変形例である。図１７に示すように、人形頭部１の内部において、連結具を取り付ける部位は適宜選択することが可能であり、例えば、顔部３の内部のスリット５と交差する溝を設けて、そこに取り外し可能な芯部材をはめ、これにＳ字フックをかけて顔部側連結具２５としてもよいし、後頭部４の内部の棒状部材の先にリング状部材を設け、これにＳ字フックをかけて後頭部側連結具２６としてもよい。
【００７９】
図１８は、実施形態９に係る人形頭部１における顔部３と、複数の後頭部４を示す斜視図である。図１８に示すように、後頭部４を複数に分割して形成することもでき、また、これに伴って、嵌合凹部６及び嵌合凸部７をそれぞれ複数設けることができる。複数に分割して成形された後頭部４は、それぞれ形状、素材、毛髪様材料等が異なっていてもよい。例えば、ヘルメットや髪飾り等の頭部修飾物を、複数設けられた嵌合凹部６及び嵌合凸部７を利用して着脱可能に固定することもできる。なお、実施形態１の手法に準じて、実施形態９の人形頭部１を、実施形態１の人形胴体２に固定し、実施形態９の人形を得ることができる。
【００８０】
図１９は、実施形態１０に係る人形頭部１における顔部３と後頭部４を示す斜視図であり、図２０は、実施形態１０に係る人形頭部１の、人形胴体２に対する可動を示す側面図（ａ）及び側面断面図（ｂ）〜（ｄ）である。図１９及び２０に示すように、人形頭部１と人形胴体２が接触する部分において、人形頭部１に膨出部２４を形成し、人形胴体２に、前記膨出部２４を回転（揺動）自在に受けるように受部９を形成してもよい。このような構成においても、図２０に示すように、人形頭部１の人形胴体２に対する自由な可動は確保される。図１９に示される顔部３は首側スリット２９を有し、首側スリット２９の可撓性も、人形頭部１の人形胴体２への固定に用いることができる。また、後頭部４と人形胴体２とを連結部材２８で連結する際に、連結部材２８や後頭部側連結具２６等を通すための通路として、又は顔部３と人形胴体２とを連結部材２８で連結する際に、連結部材２８や顔頭部側連結具２５等を通すための通路として、首側スリット２９を利用することも出来る。なお、図１９に示される顔部３の空洞は、義歯等１５を入れるため、連結部材２８を通すため、顔部３を型抜き成型する際に抜きやすくするため、等の目的で設けられている。
【００８１】
図２１は、参考例に係る人形頭部１の顔部３及び後頭部４を示す斜視図である。参考例は、実施形態１の人形頭部１において、嵌合凸部７及び嵌合凹部６のない構成である。参考例に示す人形頭部１では、頭部３と後頭部４との相互の固定は嵌合によってではなく、顔部３と後頭部４の外縁の形状（例えばヒトの毛髪の生え際の線を模した形状）の一致により行われるため、実施形態１の人形頭部と比較して強度が弱い。参考例の人形頭部１を実施形態１の人形胴体２に固定した人形においては、人形頭部１側の連結具と胴体側連結具２７とが連結部材２８（好ましくは弾性部材）により連結する。ここで、人形頭部１の内部における連結具の位置及び形状は適宜選択することが可能である。例えば、図２１に示すように、顔部３の内部のスリット５と交差する溝を設け、該溝に取り外し可能な芯部材をはめ、この芯部材にＳ字フックをかけて顔部側連結具２５としてもよいし、後頭部４の内部に設けたリング状部材にＳ字フックをかけて後頭部側連結具２６としてもよい。後頭部側連結具２６と胴体側連結具２７とが連結部材２８により連結している場合（連結部材２８はスリット５を通る）、後頭部４を人形胴体２と連結させたまま、一端が開口しているスリット５を利用して顔部３を着脱可能である。また、人形頭部１を人形胴体２に対して回転自在とすることができる。例えば非常に小さい人形など、嵌合凸部７及び嵌合凹部６を人形頭部１の内部に形成することが困難で、人形胴体２に人形頭部１を固定することが前提とされている場合には、本発明の記載を参照して参考例の構成を採用することも可能である。
【００８２】
なお、図に示した実施形態においては人間を模した人形を代表例として用いて説明したが、本発明に係る人形は、老若男女の別なく多様な形態の人形が含まれるのみならず、例えば動物の人形、擬人的に顔を付設した乗り物等の人形であってもよい。また、本発明の人形頭部は、その顔部及び後頭部が着脱可能であるから、人間以外の顔等に変身させた人形とすることも可能である。人形の寸法も需要者の好みに応じて適宜選択することが可能である。また、本発明の一態様によれば、美観に非常に優れる人形頭部及び人形が提供されるため、例えば本発明の人形頭部及び人形を、ディスプレイ用マネキン、ヘアカット練習用マネキン、メイク練習用マネキン等として使用することもできる。さらに、本発明の人形頭部及び人形の一部又は全体を、木材、磁器や石粉粘土による創作人形の内骨格又はアンドロイドやロボット等の内部構造として使用することもできる。
【符号の説明】
【００８３】
１  人形頭部
２  人形胴体
３  顔部
４  後頭部
５  スリット
６  嵌合凹部
７  嵌合凸部
８  接合面
９  受部
１０  顔面
１１  顔部内板
１２  上顔部
１３  下顔部
１４  義眼
１５  義歯等
１５ａ  義歯
１５ｂ  義歯押さえ部材
１５ｃ  舌
１６  義眼押さえ部材
１６ａ  垂直部
１６ｂ  水平部
１７  義眼載置部
１８  固定部
１９  眼孔
２０  口孔
２１  後頭部外縁
２２  毛髪様材料
２３  首部
２４  膨出部
２５  顔部側連結具
２６  後頭部側連結具
２７  胴体側連結具
２８  連結部材
２９  首側スリット
３０  胸部
３０ａ  胸部前側
３０ｂ  胸部後側
３１  胸部嵌合凹部
３２  胸部嵌合凸部
【図１】
2010183946.tif 000003
【図２】
2010183946.tif 000004
【図３】
2010183946.tif 000005
【図４】
2010183946.tif 000006
【図５】
2010183946.tif 000007
【図６】
2010183946.tif 000008
【図７】
2010183946.tif 000009
【図８】
2010183946.tif 000010
【図９】
2010183946.tif 000011
【図１０】
2010183946.tif 000012
【図１１】
2010183946.tif 000013
【図１２】
2010183946.tif 000014
【図１３】
2010183946.tif 000015
【図１４】
2010183946.tif 000016
【図１５】
2010183946.tif 000017
【図１６Ａ】
2010183946.tif 000018
【図１６Ｂ】
2010183946.tif 000019
【図１７】
2010183946.tif 000020
【図１８】
2010183946.tif 000021
【図１９】
2010183946.tif 000022
【図２０】
2010183946.tif 000023
【図２１】
2010183946.tif 000024